(57)【要約】 【課題】通常の敷物は仏壇の前に敷くことは不適切である点、及び通常の絨毯では仏壇の前に敷くには大きすぎる点、を解消する。【解決手段】仏壇用敷物１は、７５〜１５０ｃｍの略正方形の大きさとされた敷部１Ａと、敷部１Ａの辺縁部１ａの一辺に設けられ、仏を表す梵字を織り込んで表示した表示部１Ｂと、を備えている。【効果】仏壇用敷物１を仏壇の前に敷けば、敷部１Ａが座る場所であることが容易に認識でき、別途、座布団などを敷く必要がなくなる。また、表示部１Ｂには仏を表す梵字が織り込まれているので敷部１Ａに座るだけで厳粛な気分となる。【選択図】  図１
0003122274.tif 000002
【実用新案登録請求の範囲】
【請求項１】
仏壇の前に敷く敷物であって、７５〜１５０ｃｍの略正方形の大きさとされた敷部と、前記敷部の辺縁部の一辺に設けられ、仏を表す梵字を織り込んで表示した表示部と、を備えたことを特徴とする仏壇用敷物。
【請求項２】
敷部と表示部との境界を区画する線を付して構成され、もしくは表示部が敷部の辺縁部と異なる色により構成されたことを特徴とする請求項１記載の仏壇用敷物。
【請求項３】
敷部と表示部の境界に溝を設けたことを特徴とする請求項１又は２記載の仏壇用敷物。
【請求項４】
表示部の裏面側を敷部の中心方向へ起立させる装脱自在な立設部材を備えたことを特徴とする請求項１〜３のいずれかに記載の仏壇用敷物。
【考案の詳細な説明】
【技術分野】
【０００１】
本考案は、適切な大きさで、かつ意味合いとしても適切な仏壇用敷物に関する。
【背景技術】
【０００２】
本出願人は、以下の特許文献１のように、贈る側のメッセージが付された表示部を表面の辺縁部に折り込んで設けたペルシャ絨毯を提案した。
【特許文献１】実用新案登録第３０８８８１８号
【考案の開示】
【考案が解決しようとする課題】
【０００３】
しかしながら、上記特許文献１は、確かに贈る側のメッセージを伝えることができる点で贈答・進物としてのメリットはあるが、そのように贈られたペルシャ絨毯を仏壇の前に敷くのは、メッセージが信仰や礼拝の対称ではないため、意味合いとしては不適切であった。
【０００４】
また、通常のペルシャ絨毯は、もちろん寸法のオーダーは可能であるものの、生産効率の関係で、ある程度規格化された寸法しか存在しなかった。そして、その規格化された寸法のペルシャ絨毯を仏壇の前に敷くと、仏壇の前に敷くには大きすぎて、部屋敷きの絨毯と勘違いしやすく、よって絨毯の上にさらに座布団などを敷くという事態が生じていた。
【０００５】
本考案が解決しようとする問題点は、特許文献１のペルシャ絨毯では仏壇の前に敷くことは意味合いとして不適切である点、及び通常のペルシャ絨毯では仏壇の前に敷くには大きすぎる点、を解消することにある。
【課題を解決するための手段】
【０００６】
上記問題点を解決するために、本考案は、仏壇の前に敷く敷物について、１辺が７５〜１５０ｃｍの略正方形の大きさとされた敷部と、敷部の辺縁部の一辺に設けられ、仏を表す梵字を織り込んで表示した長方形の表示部と、を備えることとした。
【０００７】
また、本考案は、上記構成において、敷部と表示部との境界を区画する線を付して構成され、もしくは表示部が敷部の辺縁部と異なる色により構成されていてもよい。さらに、本考案は、敷部と表示部の境界に溝を設けたり、表示部の裏面側を敷部の中心方向へ起立させる装脱自在な立設部材を備えていてもよい。
【考案の効果】
【０００８】
本考案は、７５〜１５０ｃｍの略正方形の敷部を設けることで、ここに仏壇を参る者が座る場所であることが容易に認識できるから、通常では、別途、住職用の座布団を敷く必要がないと共に、住職用の座布団を出しっぱなしにするということがなくなる。なお、住職が来たときには特別に住職用の座布団を敷けばよい。そして、表示部には仏を敬う意味の梵字が織り込まれた表示部が存在するので、敷部に座るだけで厳粛な気分となる。
【０００９】
また、本考案は、敷部と表示部との境界を区画する線を付して構成され、もしくは表示部が敷部の辺縁部と異なる色により構成されたり、敷部と表示部の境界に溝を設けた場合は、敷部すなわち仏壇を参る側と、表示部すなわち仏壇側とを明確に分けることができ、この結果、敷部にのみ座る感覚となるから、仏を表す梵字が記された部分つまり仏及び仏壇に対して無礼とならない。
【００１０】
さらに、本考案は、例えば立設部材を備えた場合は、敷部に座った際には、仏壇と共に表示部が対面する状態となるから、一層厳粛な気分となる。
【考案を実施するための最良の形態】
【００１１】
本考案は、例えば図１〜図５を参照して説明する以下の形態により実施可能である。
（第１形態）
図１及び図２に示す第１形態における仏壇用敷物１は、例えば、毛又は絹の手織物の絨毯である。そして、仏壇用敷物１は、１辺が例えば７５〜１５０ｃｍ四方（図示ｘ＝ｙ）の大きさとされた略正方形の敷部１Ａを有する。
【００１２】
敷部１Ａは、７５ｃｍより小さいと、人が座った際に小さいと感じて座った際の心地が悪い。一方、敷部１Ａは、１５０ｃｍより大きいと、大きいと感じて、仏壇用敷物１の上にさらに座布団などを敷いてしまう可能性がある。したがって敷部１Ａは７５〜１５０ｃｍの寸法とし、本例では、特に９０ｃｍとしている。
【００１３】
そして、敷部１Ａを略正方形とした理由は次の通りである。まず、本考案の仏壇用敷物１は、該仏壇用敷物１の上に別途座布団を敷かなくてもよいように、上記した敷部１Ａの寸法も決定している。
【００１４】
ここで、仏壇用敷物１の敷部１Ａの形状が、例えば長方形であったり円形であると、まず、仏壇用敷物１が何を意味するのかが判りにくい。したがって、使用者の視覚において座布団を想起するような形状、すなわち略正方形とすることで、敷部１Ａにそのまま座ればよいことが判りやすくなる。
【００１５】
もっとも、使用者の視覚において座布団を想起すればよいから、敷部は、厳密な意味で正方形であることは必ずしも必要でなく、一割程度の長短があっても構わない。このような理由により、敷部１Ａは、略正方形としたのである。
【００１６】
そして、敷部１Ａにおいて、ある１辺の辺縁部１ａには該敷部１Ａと連続して表示部１Ｂが設けられている。表示部１Ｂは、それ自体の形状は長方形とされ、短辺は、長辺（敷部１Ａの１辺の長さ）に対して約１／２３〜１／１０程度とされている。この理由は以下の通りである。
【００１７】
すなわち、表示部１Ｂの短辺が長辺に対して１／２３より小さい寸法であると、表示部１Ｂにおける表示が細かくなりすぎて表示させにくく、また、敷部１Ａとのバランスが悪いという不具合がある。
【００１８】
一方、表示部１Ｂの短辺が長辺に対して１／１０より大きい寸法であると、敷部１Ａの地模様の意匠より表示部１Ｂの方が目立ってしまい、また、敷部１Ａとのバランスが悪いという不具合がある。したがって上記寸法としたのであり、本例では表示部１Ｂの短辺を長辺に対して１／１５としている。
【００１９】
表示部１Ｂには、例えば、本例では、主要な仏と言われる１３仏を表す各１文字の梵字を列記して織り込んで表示している。したがって、図２に示すように、仏壇Ｐの前に本考案の仏壇用敷物１を敷けば、万年に亘り、仏壇Ｐに祀られる故人に対し、仏の加護があるかのような印象を与えることができる。
【００２０】
また、表示部１Ｂを梵字としている理由は、仏壇Ｐに祀られる故人の戒名などは梵字で示されることもあり、特に仏教の発祥の地インドのサンスクリット文字に通じる梵字とすることで、仏を敬う意味を記して仏壇Ｐの前に敷く場合に最も馴染むからである。
【００２１】
辺縁部１ａは、本例の場合、表示部１Ｂを敷部１Ａと異なる色に変えることで構成している。この辺縁部１ａには次の意味を持つ。すなわち、１枚の本考案の仏壇用敷物１は、敷部１Ａと表示部１Ｂとが事実上は連続している。
【００２２】
敷部１Ａと表示部１Ｂが全く区分けのない連続状態であると、敷部１Ａに座ることはすなわち表示部１Ｂ上に座ることにも通じ、仏壇Ｐを含む表示部１Ｂ側に対して無礼との印象を与える。したがって、辺縁部１ａにより、敷部１Ａと表示部１Ｂとの区分けを明確にし、座るという行為が仏壇Ｐを含む表示部１Ｂ側におよばないようにしているのである。
【００２３】
なお、辺縁部１ａは、図示しないが、敷部１Ａと表示部１Ｂが明確に区分けできれば、例えば線を付して構成していてもよい。また、辺縁部１ａは、溝１ｂを形成してもよく、この溝１ｂを設けると、後述する立設部材２を設けたときには、上記作用効果だけでなく、立設部材２を用いた際の作用効果をより顕著にすることができる。
【００２４】
本第１形態の仏壇用敷物１は、図２に示すように、敷部１Ａに座る者にとっては、そこに座り、仏壇Ｐを参ることで、万年に亘り、仏壇Ｐに祀られる故人を敬うことと、それを通じて、仏の加護を受けられるような、厳粛な気持ちとなる。
【００２５】
それゆえ、本考案の仏壇用敷物１は、高価となるが１枚ずつ職人が丹念に制作した手織物が最も望ましい。手織物であれば、仏壇Ｐに祀られる故人及び表示部１Ｂに梵字で表示された仏を敬う意味に対し、最上の気持ちを込めることができる。
【００２６】
もちろん、手入れを怠れば耐久性は時間とつれて低下するが、例えば、撥水加工、防ダニ加工、光触媒による消臭・抗菌加工、のうち少なくとも１つの加工をしておけば、多少の手入れを怠っても、購入時のままの状態を維持することができる。
【００２７】
（第２形態）
図３〜図５に示す第２形態は、上記した第１形態の構成において、辺縁部１ａを溝１ｂで構成し、さらに、表示部１Ｂの裏面側に配置され、該表示部１Ｂの表面側を仏壇Ｐとは反対方向へ起立させるための装脱自在な立設部材２を備えている。それ以外の構成などは、上記第１形態と同じであるため、説明を省略する。
【００２８】
溝１ｂは、図３に示すように、敷部１Ａ及び表示部１Ｂの裏面側では連続しているが、表面側では窪んでいる。この溝１ｂは、上記した敷部１Ａと表示部１Ｂとを区分けするために設けている他、本第２形態では、特に、立設部材２を用いて表示部１Ｂを起立させたときに辺縁部１ａの裏面が湾曲して床面から浮いた状態にならないようにするという作用効果を得るために設けている。
【００２９】
立設部材２は、表示部１Ｂを起立させるならば特に断面形状を限定しないが、例えば図３及び図４に示すように、表示部１Ｂの短辺の略２倍の寸法の短辺を有した長方形の１枚の板材を、その短辺方向の中央部でおよそ３５〜８５°に折り曲げて形成している。
【００３０】
立設部材２の中央部の角度が３５°より小さいと、表示部１Ｂが一見してほぼ上方に向いていることになるので、起立させて目立たせる意味に欠ける。
【００３１】
一方、立設部材２の中央部の角度が８５°より大きいと、表示部１Ｂがほぼ直立状態となるから、場合によっては敷部１Ａ側に倒れてしまう可能性がある。よって上記角度の範囲とした。なお、本例では、特に６０°としている。
【００３２】
この立設部材２の材料は、容易に床面及び表示部１Ｂの裏面から滑ることのないように、また、仮に踏んでしまった際には容易に割れたり、怪我をしないように、例えばゴム、あるいは樹脂など摩擦係数の比較的高くかつ軟質な材質を採用すればよい。
【００３３】
立設部材２は、本例では、該立設部材２の材質と仏壇用敷物１の裏面との摩擦により表示部１Ｂの裏面に挿入して装着し、また、表示部１Ｂの裏面から抜き出して脱着を行う。立設部材２の装脱構成としては、上記の他、表示部１Ｂの裏面側に設けた面テープの一方に対応する他方を立設部材２に設けるようにしてもよい。
【００３４】
ちなみに、第２形態の場合、立設部材２との配置関係上、仏壇用敷物１そのものが床面から滑らないようにするには、敷部１Ａの裏面に樹脂やゴムをコーティングしておけば敷部１Ａ側が床面で容易に移動することがなく、よって立設部材２により表示部１Ａを常に起立させておける。
【００３５】
第２形態の仏壇用敷物１は、図５に示すように、表示部１Ａが立設部材２により起立して敷部１Ａに座る者と対面するから、仏壇Ｐを参ることすなわち仏を敬うことを強く意識させることができる。敷部１Ａに座る者は、表示部１Ａの表示から仏の加護を受けられるような気分となる。
【００３６】
特に、辺縁部１ａに溝１ｂを設けることで、立設部材２による該辺縁部１ａの折れ目が丸まってしまうことがなくなり、したがって、辺縁部１ａ周辺の敷部１Ａが床面から浮き上がってしまうことがない。
【００３７】
なお、本考案は、本第１及び第２形態では、仏壇用敷物１の材質を毛及び絹の織物製の敷物で説明したが、それ以外の化学繊維でなる大量生産されたカーペットなどであっても構わない。
【００３８】
また、撥水、防ダニ、消臭・抗菌、の特殊加工については、その技術及び組み合わせは問わず、そのような加工が選択的に施されていれば、仏壇Ｐと同じく永きに亘って使用できるというものである。
【図面の簡単な説明】
【００３９】
【図１】本考案の第１形態による仏壇用敷物を示す図である。
【図２】本考案の第１形態による仏壇用敷物の使用状況を示す図である。
【図３】本考案の第２形態による仏壇用敷物を示し、（ａ）は側面図、（ｂ）は斜視図である。
【図４】本考案の第２形態による仏壇用敷物の立設部材を示し、（ａ）は正面図、（ｂ）は背面図、（ｃ）は側面図である。
【図５】本考案の第２形態による仏壇用敷物の使用状況を示す図である。
【符号の説明】
【００４０】
１  仏壇用敷物
１Ａ  敷部
１Ｂ  表示部
１ａ  辺縁部
１ｂ  溝
２  立設部材
Ｐ  仏壇
【図１】
0003122274.tif 000003
【図２】
0003122274.tif 000004
【図３】
0003122274.tif 000005
【図４】
0003122274.tif 000006
【図５】
0003122274.tif 000007